(57)【要約】【課題】複数種類の光ディスクを同時稼動させている場合であっても、表示されている稼動状態とその稼動状態にある光ディスクとを容易に関連付けてその稼動状態を認識することが可能な情報記録再生装置を提供する。【解決手段】光ディスクが夫々通過する複数の開口部３及び８を備える情報記録再生装置１において、その動作状態を表示する表示部５を備え、光ディスクが稼動中であるとき、稼動中である光ディスクが通過する開口部３又は８以外の他の開口部８又は３が隠蔽される位置に表示部５が位置するように、当該表示部５を移動する。【選択図】　　　図１
2004127371.tif 000002
【特許請求の範囲】
【請求項１】
記録媒体が夫々通過する複数の開口部を備える情報処理装置において、
当該情報処理装置の動作状態を表示する表示手段と、
前記記録媒体が稼動中であるとき、当該稼動中である記録媒体が通過する前記開口部以外の他の前記開口部が隠蔽される位置に前記表示手段が位置するように、当該表示手段を移動する移動手段と、
を備えることを特徴とする情報処理装置。
【請求項２】
請求項１に記載の情報処理装置において、
前記表示手段は、前記位置に当該表示手段が位置しているとき、前記稼動中である記録媒体の稼動状態を表示することを特徴とする情報処理装置。
【請求項３】
請求項１又は２に記載の情報処理装置において、
前記移動手段は、各前記開口部を通過して前記情報処理装置内に装填された前記記録媒体が夫々に稼動中であるとき、対応する前記開口部を通過して当該各記録媒体が排出されることを阻止する位置に前記表示手段が位置するように、当該表示手段を移動することを特徴とする情報処理装置。
【請求項４】
記録媒体が夫々通過する複数の開口部を備える情報処理装置であって、当該情報処理装置の動作状態を表示する表示手段と、前記記録媒体が稼動中であるとき、当該稼動中である記録媒体が通過する前記開口部以外の他の前記開口部が隠蔽される位置である隠蔽位置に前記表示手段が位置するように、当該表示手段を移動する移動手段と、を備える情報処理装置において実行される前記表示手段の移動方法であって、
いずれの前記記録媒体が稼動中であるかを検出する記録媒体検出工程と、
前記表示手段の現在位置を検出する位置検出工程と、
前記検出された現在位置が、前記検出された稼動中の前記記録媒体が通過した前記開口部を隠蔽する位置であるとき、当該表示手段を前記移動手段により前記隠蔽位置まで移動する移動工程と、
を備えることを特徴とする移動方法。
【請求項５】
記録媒体が夫々通過する複数の開口部と、情報処理装置の動作状態を表示する表示手段と、を備える当該情報処理装置に含まれるコンピュータを、
前記記録媒体が稼動中であるとき、当該稼動中の記録媒体が通過する前記開口部以外の他の前記開口部が隠蔽される位置に前記表示手段が位置するように、当該表示手段を移動する移動手段として機能させることを特徴とする情報処理用プログラム。
【請求項６】
請求項５に記載された情報処理用プログラムが前記コンピュータで読取可能に記録されていることを特徴とする情報記録媒体。
【発明の詳細な説明】
【０００１】
【発明の属する技術分野】
本願は、情報処理装置、移動方法及び情報処理用プログラム並びに情報記録媒体の技術分野に属し、より詳細には、装填された記録媒体を用いた情報処理を実行する情報処理装置、当該情報処理のために用いられる情報処理用プログラム及び当該情報処理用プログラムが記録された情報記録媒体並びに当該情報処理装置に含まれる構成部材の移動方法の技術分野に属する。
【０００２】
【従来の技術】
近年、高い記録容量を有する記録媒体としての光ディスクが一般化しているが、その記録方式については現状では一つの規格に統一されているわけではなく、例えば、ＣＤ（Ｃｏｍｐａｃｔ　　Ｄｉｓｃ）、ＤＶＤ（Ｄｉｇｉｔａｌ　　Ｖｅｒｓａｔｉｌｅ　Ｄｉｓｃ）或いは近年実用化されつつある青紫色レーザを用いた更なる高記録密度の光ディスク等、種々の規格が存在している。
【０００３】
従って、例えば記録方式の相容れない複数種類の光ディスクに記録されている情報を一の装置を用いて再生しようとする場合等においては、各規格に夫々準拠した再生システム（いわゆる光ディスクドライブ装置）を、取り扱おうとする規格の数だけ備える必要がある。
【０００４】
一方、一の装置において上述した如き異なる記録方式の光ディスクを取り扱う場合であっても、各光ディスクの稼動状態（当該光ディスクの種類を含む。以下、同様）は液晶ディスプレイ等の一の表示部を用いて表示されることが通常であった。
【０００５】
【発明が解決しようとする課題】
しかしながら、上述した従来の構成によると、再生システムへ光ディスクを装填する際に当該光ディスクが通過すべき開口部はその再生システムの数だけ存在するにも拘わらず、夫々の光ディスクの稼動状態を表示する表示部は一つであるため、複数種類の光ディスクを同時稼動させている場合においては、表示部上で表示されている稼動状態がいずれの光ディスクの稼動状態を示しているかを容易に認識できない場合があると言う問題点があった。
【０００６】
そこで、本願は、上記の問題点に鑑みて為されたもので、その課題の一例は、例えば、複数種類の光ディスクを同時稼動させている場合であっても、表示部上で表示されている稼動状態とその稼動状態にある光ディスクとを容易に関連付けて当該光ディスクの稼動状態を認識することが可能な情報処理装置、当該情報処理のために用いられる情報処理用プログラム及び当該情報処理用プログラムが記録された情報記録媒体並びに当該情報処理装置に含まれる構成部材の移動方法を提供することにある。
【０００７】
【課題を解決するための手段】
上記の課題を解決するために、請求項１に記載の発明は、記録媒体が夫々通過する複数の開口部を備える情報処理装置において、当該情報処理装置の動作状態を表示する表示手段と、前記記録媒体が稼動中であるとき、当該稼動中である記録媒体が通過する前記開口部以外の他の前記開口部が隠蔽される位置に前記表示手段が位置するように、当該表示手段を移動する移動手段と、を備える。
【０００８】
上記の課題を解決するために、請求項４に記載の発明は、記録媒体が夫々通過する複数の開口部を備える情報処理装置であって、当該情報処理装置の動作状態を表示する表示手段と、前記記録媒体が稼動中であるとき、当該稼動中である記録媒体が通過する前記開口部以外の他の前記開口部が隠蔽される位置である隠蔽位置に前記表示手段が位置するように、当該表示手段を移動する移動手段と、を備える情報処理装置において実行される前記表示手段の移動方法であって、いずれの前記記録媒体が稼動中であるかを検出する記録媒体検出工程と、前記表示手段の現在位置を検出する位置検出工程と、前記検出された現在位置が、前記検出された稼動中の前記記録媒体が通過した前記開口部を隠蔽する位置であるとき、当該表示手段を前記移動手段により前記隠蔽位置まで移動する移動工程と、を備える。
【０００９】
上記の課題を解決するために、請求項５に記載の発明は、記録媒体が夫々通過する複数の開口部と、情報処理装置の動作状態を表示する表示手段と、を備える当該情報処理装置に含まれるコンピュータを、前記記録媒体が稼動中であるとき、当該稼動中の記録媒体が通過する前記開口部以外の他の前記開口部が隠蔽される位置に前記表示手段が位置するように、当該表示手段を移動する移動手段として機能させる。
【００１０】
上記の課題を解決するために、請求項６記載の発明は、請求項５に記載された情報処理用プログラムが前記コンピュータで読取可能に記録されている。
【００１１】
【発明の実施の形態】
次に、本願に好適な実施の形態について、図面に基づいて説明する。
【００１２】
なお、以下に説明する各実施の形態は、規格が異なることにより一つの駆動部により駆動することができない二種類の光ディスクに対して情報を記録又は再生することが可能な情報記録再生装置に対して本願を適用した場合の実施の形態である。
【００１３】
（Ｉ）第１実施形態
初めに、第１実施形態に係る情報記録再生装置の概観及び第１実施形態に係る表示部駆動機構の動作による当該概観上の変化について、図１を用いて説明する。
【００１４】
なお、図１は第１実施形態に係る表示部駆動機構を備えた情報記録再生装置における当該表示部の駆動状態を示す斜視図である。
【００１５】
第１実施形態に係る情報記録再生装置１の前面パネル２には、異なる規格の光ディスクに対応したＤドライブ及びＢドライブの二つのドライブに対して光ディスクを夫々装填するための二つの開口部が設けられている。そして、Ｄドライブの一部を構成するディスクトレイに載置された光ディスクが一方の開口部を通過して当該Ｄドライブに装填され、一方、Ｂドライブの一部を構成するディスクトレイに載置された光ディスクが他方の開口部を通過して当該Ｂドライブに装填され、それぞれ回転駆動される。
【００１６】
先ず、図１（ａ）は、情報記録再生装置１に備えられている二つの駆動部のうちのＢドライブの一部を構成するディスクトレイ４が光ディスクを載置するために手前側に引き出されている状態を示している。
【００１７】
すなわち、情報記録再生装置１の前面パネル２には、ディスクトレイ４が図示しない光ディスクを載せて通過する開口部３が開口されている。そしてこのとき、情報記録再生装置１の動作状態を示す表示手段としての表示部５は、当該Ｂドライブの駆動状態を示した状態でＤドライブの開口部を塞ぐ位置に移動している。
【００１８】
また、前面パネル２には、ＤドライブとＢドライブのうち駆動させるドライブを選択するための切替スイッチ６が配置されている。
【００１９】
そして、ディスクトレイ４上にＢドライブ用の規格に準拠した光ディスクが載置されると、当該光ディスクを載置したままディスクトレイ４が図１（ｂ）に示すように情報記録再生装置１の内部に移動することにより、当該光ディスクがＢドライブに装填される。その後Ｂドライブにおいて当該載置されている光ディスクに対する情報の記録又は再生が実行される。このとき、図１（ｂ）に示すように、表示部５上にはＢドライブに装填されている光ディスクの稼動状態が表示される。
【００２０】
次に、図１（ａ）及び（ｂ）に示すＢドライブの駆動状態からもう一方のドライブであるＤドライブの駆動状態に移行する場合の動きについて、図１（ｃ）及び（ｄ）を用いて説明する。
【００２１】
図１（ｂ）に示すＢドライブの駆動状態からＤドライブの駆動状態に移行する際には、先ず図１（ｂ）に示すＢドライブの駆動状態において前面パネル２上の切替スイッチ６が操作されると、先ず図１（ａ）及び（ｂ）において開口部３の下方にあった表示部５が図１（ｃ）に示すように前面パネル２の表面に平行に図１（ｃ）中上方向に移動する。このとき、表示部５には、ドライブの切り替え中である旨の表示が為されている。
【００２２】
そして、図１（ｄ）に示すように表示部５が開口部３を隠す位置まで移動すると、結果としてＤドライブ用の開口部８とＤドライブ用のディスクトレイ７が露出する。これにより、Ｄドライブが利用可能となり、ディスクトレイ７を前方に引き出してＤドライブ用の規格に準拠した光ディスクを載置することで当該Ｄドライブに対する光ディスクの装填が可能となる。
【００２３】
この後は、当該ディスクトレイ７に載置された光ディスクをＤドライブに装填することで、当該光ディスクに対する情報の記録又は再生が可能となるのである。
【００２４】
次に、図１に示す如く表示部５を移動させるための移動機構について、図２を用いて説明する。
【００２５】
なお、図２は、当該移動機構、表示部５、Ｂドライブ及びＤドライブを含むドライブユニットＤＶ１を情報記録再生装置１から取り出した状態における当該ドライブユニットＤＶ１の側面図である。
【００２６】
図２に示すように、ドライブユニットＤＶ１においては、Ｂドライブ１０とＤドライブ１１とは上下に重ねられて上部フレーム１３及び下部フレーム１４に固定されており、夫々の前面にはディスクトレイ３及び７の一部が夫々露出している。そして、当該上部フレーム１３と下部フレーム１４との間であってＢドライブ１０及びＤドライブ１１の前方両側には、表示部５を図２中上下方向に移動させるためのガイド２３が夫々設けられている。なお、図２においては、Ｂドライブ１０及びＤドライブ１１の前方両側にあるガイド２３の一方のみが示されている。
【００２７】
そして、表示部５に固定されている棒状の支持部２１及び２２が各ガイド２３に夫々設けられているスリット２４に夫々移動可能に嵌まり込むことにより、表示部５がＢドライブ１０及びＤドライブ１１の前方を上下方向に移動可能に支持される。
【００２８】
次に、表示部５には更に固定部２０が設けられている。一方、上部フレーム１３及び下部フレーム１４には夫々プーリ１７及び１６が回転可能に設けられており、夫々のプーリ１７及び１６の間にタイミングベルト１８が掛けられている。
【００２９】
そして、このタイミングベルト１８に固定部２０が固定されている。これにより、プーリ１７が移動手段としてのモータ１２により回転されることでタイミングベルト１８が図２中の両矢印方向に移動すると、表示部５もＢドライブ１０及びＤドライブ１１の前面に平行な面内を図２中上下方向に移動することとなる。
【００３０】
また、上部フレーム１３に固定されているスイッチ３０は、表示部５が図２中上方向に移動することでその切片に接触して当該切片がオンとされると、当該オンとされたことを示すスイッチ信号を出力する。
【００３１】
同様に、下部フレーム１４に固定されているスイッチ３２は、表示部５が図２中下方向に移動することでその切片に接触して当該スイッチがオンとされると、当該オンとされたことを示すスイッチ信号を出力する。
【００３２】
次に、上述した構成を備えるドライブユニットＤＶ１における表示部５の移動の態様及びその移動制御について、具体的に図３を用いて説明する。
【００３３】
なお、図３は、表示部５の移動過程におけるドライブユニットＤＶ１の側面図である。
【００３４】
先ず、図３（ａ）に示すように、表示部５がガイド２３の上端にあるとき、すなわち、現在Ｄドライブ１１が稼動中であるとき（以下、Ｄドライブ１１を稼動させる状態のことをＤモードと称する）、当該表示部５の上辺部分がスイッチ３０の切片に接触することにより、表示部５がガイド２３の上端にあることを意味するスイッチ信号がスイッチ３０から出力され続ける。このとき、スイッチ３２の切片は開放されているので、当該スイッチ３２からは何ら信号が出力されない。
【００３５】
次に、後述するＣＰＵの制御により表示部５を移動させる（すなわち、図３に示す場合は図３中下方向に移動させる）旨の指令がモータ１２に伝達されると、当該モータ１２はプーリ１７を回転させることによりタイミングベルト１８を図３中反時計方向に移動させ、これにより、固定部２０を介してタイミングベルト１８に固定されている表示部５が図３（ｂ）に示す如く各ガイド２３に沿って図３中下方向に移動する。
【００３６】
そして、表示部５が各ガイド２３に沿ってガイド２３の下端まで到達すると、これにより当該表示部５の下辺部分がスイッチ３２の切片に接触し、表示部５がガイド２３の下端に到達したことを意味するスイッチ信号がスイッチ３２から出力される。
【００３７】
以上の移動により、表示部５がガイド２３の下端にあるとき、すなわち、Ｂドライブ１０が稼動中となったとき（以下、Ｂドライブ１０を稼動させる状態のことをＢモードと称する）、当該表示部５の下辺部分がスイッチ３２の切片に接触することにより表示部５がガイド２３の下端にあることを意味するスイッチ信号がスイッチ３２から出力され続ける。このとき、スイッチ３０の切片は開放されているので、当該スイッチ３０からは何ら信号が出力されない。
【００３８】
次に、図２及び図３に示した機構により表示部５を移動させる際のその移動制御を行うための構成について、図４及び図５を用いて説明する。
【００３９】
なお、図４は当該移動制御のために必要なドライブユニットＤＶ１の構成を示すブロック図であり、図５は当該移動制御を示すフローチャートである。
【００４０】
図４に示すように、当該移動制御に当たっては、上述した切替スイッチ６及びＢドライブ１０並びにＤドライブ１１の他に、ＣＰＵ４０と、スイッチ３０及び３２に接続された移動制御部４１と、表示部５の表示内容を切り替えるための表示切替部４２と、が必要となる。
【００４１】
次に、動作を説明する。
【００４２】
当該移動制御においては、先ず、前面パネル２内の切替スイッチ６が操作されることにより切替信号Ｓｃｈが当該切替スイッチ６から出力されると（図５ステップＳ１）、次に、ＣＰＵ４０は、その切替信号Ｓｃｈの内容に基づいて上記Ｄモード又はＢモードのいずれのモードで情報記録再生装置１を稼動すべきかを判断する（図５ステップＳ２）。
【００４３】
そして、稼動すべきモードがＤモードであることが切替信号Ｓｃｈにより指示されているときは（図５ステップＳ２；Ｄ）、次に、スイッチ３０又は３２のいずれかから上記スイッチ信号ＳＷ１又はＳＷ３のいずれかが出力されているか否かを移動制御部４１を介して確認することにより、その時の情報記録再生装置１の稼動状態がＤモードであるか否かを確認し（図５ステップＳ３）、現在Ｄモードで稼動しているとき、すなわち、スイッチ３０から上記スイッチ信号ＳＷ１が出力されているときは（図５ステップＳ３；ＹＥＳ）、表示部５の移動等は必要ないので、当該移動を行うための制御は行わずそのまま待機する（図５ステップＳ４）。
【００４４】
一方、ステップＳ３の判定において、その時の情報記録再生装置１の稼動状態がＢモードであるとき、すなわち、スイッチ３２から上記スイッチ信号ＳＷ３が出力されているときは（図５ステップＳ３；ＮＯ）、次に、切替スイッチ６における操作内容を反映して現状のＢモードからＤモードに切り替える必要があるので、先ずＢドライブ１０を停止するように制御信号Ｓｂを当該Ｂドライブ１０に出力し（図５ステップＳ５）、更に図３に示した態様で表示部５をＢドライブ１０側に移動させる（図５ステップＳ６）。このとき、表示部５上には移動中である旨の表示（図１（ｃ）参照）を行うように当該表示部５を制御すべく、表示切替部４２に対して制御信号Ｓｄｐを出力する。
【００４５】
そして、表示部５がガイド２３の上端まで移動したことがスイッチ３０からのスイッチ信号ＳＷ１の出力により確認されたとき、表示部５における必要な移動が完了したとして、当該表示部５上の表示内容をＤモードに切り替え、更にＤドライブ１１を待機させるべく制御信号Ｓｄを出力する（図５ステップＳ７）。
【００４６】
他方、ステップＳ２の判定において、稼動すべきモードがＢモードであることが切替信号Ｓｃｈにより指示されているときは（図５ステップＳ２；Ｂ）、次に、上記スイッチ信号ＳＷ１又はＳＷ３のいずれかが出力されているか否かを移動制御部４１を介して確認することにより、その時の情報記録再生装置１の稼動状態がＢモードであるか否かを確認し（図５ステップＳ８）、現在Ｂモードで稼動しているとき、すなわち、スイッチ３２から上記スイッチ信号ＳＷ３が出力されているときは（図５ステップＳ８；ＹＥＳ）、表示部５の移動等は必要ないので、当該移動を行うための制御は行わずそのまま待機する（図５ステップＳ９）。
【００４７】
一方、ステップＳ８の判定において、その時の情報記録再生装置１の稼動状態がＤモードであるとき、すなわち、スイッチ３０から上記スイッチ信号ＳＷ１が出力されているときは（図５ステップＳ８；ＮＯ）、次に、切替スイッチ６における操作内容を反映して現状のＤモードからＢモードに切り替える必要があるので、先ずＤドライブ１１を停止するように制御信号Ｓｄを当該Ｄドライブ１１に出力し（図５ステップＳ１０）、更に図３に示した態様で表示部５をＤドライブ１１側に移動させる（図５ステップＳ１１）。このとき、表示部５上には移動中である旨の表示（図１（ｃ）参照）を行うように当該表示部５を制御すべく、表示切替部４２に対して制御信号Ｓｄｐを出力する。
【００４８】
そして、表示部５がガイド２３の下端まで移動したことがスイッチ３２からのスイッチ信号ＳＷ３の出力により確認されたとき、表示部５における必要な移動が完了したとして、当該表示部５上の表示内容をＢモードに切り替え、更にＢドライブ１０を待機させるべく制御信号Ｓｂを出力する（図５ステップＳ１２）。
【００４９】
以上説明したように、第１実施形態に係るドライブユニットＤＶ１の動作によれば、光ディスクが夫々通過する二つの開口部３及び８を備える情報記録再生装置１において、その動作状態を表示する表示部５と、少なくともいずれかの光ディスクが稼動中であるとき、当該稼動中である光ディスクが通過する開口部３又は８以外の他の開口部８又は３が隠蔽される位置に表示部５が位置するように、当該表示部５を移動するので、光ディスクが稼動中であるとき、当該稼動中の光ディスクに対応する開口部３又は８以外の開口部８又は３が隠蔽されるので、意匠上の美感を向上させることができると共に稼動中の光ディスクがいずれであるかを迅速に認識することができる。
【００５０】
また、表示部５は、稼動中である光ディスクの稼動状態を表示するので、稼動中でない光ディスクに対応する開口部３又は８を隠蔽している表示部５により稼動中の光ディスクの稼動状態が表示されることにより、当該表示部５による表示内容とその表示内容に対応する光ディスクとの関連付けを容易に行うことができる。
【００５１】
なお、上述した第１実施形態において、図６に夫々の側面概要図を示す如く、例えば実際にＢモードで情報記録再生装置１が稼動中しているとき以外のときであって表示部５がＤドライブ１１の前方に位置しているとき（図６（ａ）参照）、稼動していない光ディスクを載置しているディスクトレイ４を表示部５と面一となる位置まで前進させて待機させておけば、意匠上の美感が更に増すこととなる。
【００５２】
また、図６（ａ）に示す状態から表示部５を移動させるときは、前進していたディスクトレイ４を後退させ、その状態で表示部５を移動させる（図６（ｂ）参照）。そして、表示部５の移動完了後であってＤモードで実際に稼動していないときは（図６（ｃ）参照）、今度はディスクトレイ７を表示部５と面一となる位置まで前進させて待機させておく。
【００５３】
（ＩＩ）第２実施形態
次に、本願の他の実施形態である第２実施形態に係る情報記録再生装置の概観及び当該概観上の変化について、図７を用いて説明する。なお、図７において、第１実施形態に係る情報記録再生装置１の構成部材と同一の部材については、同一の部材番号を付して細部の説明は省略する。
【００５４】
なお、図７は第２実施形態に係る表示部駆動機構を備えた情報記録再生装置５０における当該表示部の駆動状態を示す斜視図である。
【００５５】
上述した第１実施形態においては、表示部５は、Ｂドライブ１０の前方の位置とＤドライブ１１の前方の位置との間を往復移動するのみであったが、第２実施形態に係る情報記録再生装置においては、上記の往復運動に加えて、Ｄドライブ１１及びＢドライブ１０の双方において夫々の規格に準拠した光ディスクが同時に稼動中であるとき、具体的には例えばＤドライブ１１に装填されている光ディスクからＢドライブ１０に装填されている光ディスクに対して情報を複写しているとき、図７に示すように、Ｂドライブ１０の前方の位置とＤドライブ１１の前方の位置との中間の位置で表示部５を停止させると共に、当該停止中の表示部５においては、例えば情報の複写中であることを示す表示を行う。
【００５６】
次に、第１実施形態における動作に加えて、図７に示す如く表示部５を移動・停止させるための移動機構について、図８を用いて説明する。なお、図８において、第１実施形態に係るドライブユニットＤＶ１の構成部材と同一の部材については、同一の部材番号を付して細部の説明は省略する。
【００５７】
また、図８は、当該移動機構、表示部５、Ｂドライブ１０及びＤドライブ１１を含むドライブユニットＤＶ２を第２実施形態に係る情報記録再生装置から取り出した状態の側面図である。
【００５８】
図８に示すように、ドライブユニットＤＶ２は、第１実施形態に係るドライブユニットＤＶ１に備えられたＢドライブ１０、Ｄドライブ１１、上部フレーム１３、下部フレーム１４、スリット２４を有するガイド２３、支持部２１及び２２並びに固定部２０を備える表示部５、プーリ１７及び１６、タイミングベルト１８、モータ１２、スイッチ３０及び３２に加えて、Ｂドライブ１０とＤドライブ１１との中間位置であって固定部２０が通過する位置に新たにスイッチ３１が設けられている。そして、当該スイッチ３１は、表示部５が図８中のＢドライブ１０とＤドライブ１１との中間位置まで移動することでその切片に接触して当該スイッチ３１がオンとされると、当該オンとされたことを示すスイッチ信号を出力する。
【００５９】
次に、上述した構成を備えるドライブユニットＤＶ２における表示部５の移動の態様及びその移動制御について、具体的に図９を用いて説明する。
【００６０】
なお、図９は、表示部５の移動過程におけるドライブユニットＤＶ２の側面図であり、第１実施形態に係るドライブユニットＤＶ１と同様の構成部材については、同一の部材番号を付して細部の説明は省略する。
【００６１】
先ず、図９（ａ）に示すように、表示部５がガイド２３の上端にあるとき、すなわち、現在Ｄモードであるときは、第１実施形態の場合と同様に表示部５がガイド２３の上端にあることを意味するスイッチ信号がスイッチ３０から出力され続ける。
【００６２】
次に、後述するＣＰＵの制御により情報記録再生装置５０において光ディスク間における情報の複写を行う旨の指令がモータ１２に伝達されると、当該モータ１２はプーリ１７を回転させることによりタイミングベルト１８を図９中反時計方向に移動させ、これにより、固定部２０を介してタイミングベルト１８に固定されている表示部５を図９（ｂ）に示すＢドライブ１０とＤドライブ１１との中間位置まで移動させる。
【００６３】
そして、表示部５が各ガイド２３に沿って図９中下方向に移動して当該中間位置まで到達すると、これにより当該表示部５の固定部２０がスイッチ３１の切片に接触し、表示部５が当該中間位置に到達したことを意味するスイッチ信号がスイッチ３１から出力される。
【００６４】
次に、後述するＣＰＵの制御により表示部５を更に移動させる（すなわち、図９中下方向に更に移動させる）旨の指令がモータ１２に伝達されると、当該モータ１２はプーリ１７を回転させることによりタイミングベルト１８を図９中反時計方向に更に移動させ、これにより、表示部５が図９（ｃ）に示す如く各ガイド２３に沿って図９中下方向に移動する。
【００６５】
そして、表示部５が各ガイド２３に沿って図９中下方向に移動するガイド２３の下端まで到達すると、これにより当該表示部５の下辺部分がスイッチ３２の切片に接触し、表示部５がガイド２３の下端に到達したことを意味するスイッチ信号がスイッチ３２から出力される。
【００６６】
以上の移動により、表示部５がガイド２３の下端にあるとき、すなわち、Ｂモードとなったとき、当該表示部５の下辺部分がスイッチ３２の切片に接触することにより表示部５がガイド２３の下端にあることを意味するスイッチ信号がスイッチ３２から出力され続ける。このとき、スイッチ３０の切片は開放されているので、当該スイッチ３０からは何ら信号が出力されない。
【００６７】
次に、図８及び図９に示した機構により表示部５を移動させる際のその移動制御を行うための構成について、図１０を用いて説明する。
【００６８】
なお、図１０（ａ）は当該移動制御のために必要なドライブユニットＤＶ２の構成を示すブロック図であり、図１０（ｂ）は当該移動制御を示すフローチャートである。また、図１０（ａ）において、第１実施形態に係るドライブユニットＤＶ１と同様の構成部材については、同一の部材番号を付して細部の説明は省略する。
【００６９】
図１０（ａ）に示すように、当該移動制御に当たっては、第１実施形態に係るドライブユニットＤＶ１と同様の構成部材に加えて、移動制御部４１にスイッチ３１が接続されている。
【００７０】
次に、動作を説明する。
【００７１】
当該移動制御においては、先ず、前面パネル２内の切替スイッチ６が操作されることにより切替信号Ｓｃｈが当該切替スイッチ６から出力されると（図１０（ｂ）ステップＳ２０）、次に、ＣＰＵ４０は、その切替信号Ｓｃｈの内容に基づいていずれの上記Ｄモード又はＢモード或いは上記情報複写を行うモード（以下、当該情報複写を行うモードをコピーモードと称する）のいずれのモードで情報記録再生装置５０を稼動すべきかを判断する（図１０（ｂ）ステップＳ２１）。
【００７２】
そして、稼動すべきモードがＤモードであることが切替信号Ｓｃｈにより指示されているときは（図１０（ｂ）ステップＳ２１；Ｄ）、次に、スイッチ３０、３１又は３２のいずれかから上記スイッチ信号ＳＷ１、ＳＷ２又はＳＷ３のいずれかが出力されているか否かを移動制御部４１を介して確認することにより、その時の情報記録再生装置５０の稼動状態がＤモードであるか否かを確認し（図１０（ｂ）ステップＳ２２）、現在Ｄモードで稼動しているとき、すなわち、スイッチ３０から上記スイッチ信号ＳＷ１が出力されているときは（図１０（ｂ）ステップＳ２２；ＹＥＳ）、表示部５の移動等は必要ないので、当該移動を行うための制御は行わずそのまま待機する（図１０（ｂ）ステップＳ２３）。
【００７３】
一方、ステップＳ２２の判定において、その時の情報記録再生装置５０の稼動状態がＢモードであるとき、すなわち、スイッチ３２から上記スイッチ信号ＳＷ３が出力されているときは（図１０（ｂ）ステップＳ２２；ＮＯ）、次に、切替スイッチ６における操作内容を反映して現状のＢモードからＤモードに切り替える必要があるので、先ずＢドライブ１０を停止するように制御信号Ｓｂを当該Ｂドライブ１０に出力し（図１０（ｂ）ステップＳ２４）、更に図９に示した態様で表示部５をＢドライブ１０側に移動させる（図１０（ｂ）ステップＳ２５）。このとき、表示部５上には移動中である旨の表示（図１（ｃ）参照）を行うように当該表示部５を制御すべく、表示切替部４２に対して制御信号Ｓｄｐを出力する。
【００７４】
そして、表示部５がガイド２３の上端まで移動したことがスイッチ３０からのスイッチ信号ＳＷ１の出力により確認されたとき、表示部５における必要な移動が完了したとして、当該表示部５上の表示内容をＤモードに切り替え、更にＤドライブ１１を待機させるべく制御信号Ｓｄを出力する（図１０（ｂ）ステップＳ２６）。
【００７５】
他方、ステップＳ２１の判定において、稼動すべきモードがＢモードであることが切替信号Ｓｃｈにより指示されているときは（図１０（ｂ）ステップＳ２１；Ｂ）、次に、上記スイッチ信号ＳＷ１，ＳＷ２又はＳＷ３のいずれかが出力されているか否かを移動制御部４１を介して確認することにより、その時の情報記録再生装置５０の稼動状態がＢモードであるか否かを確認し（図１０（ｂ）ステップＳ３２）、現在Ｂモードで稼動しているとき、すなわち、スイッチ３２から上記スイッチ信号ＳＷ３が出力されているときは（図１０（ｂ）ステップＳ３２；ＹＥＳ）、表示部５の移動等は必要ないので、当該移動を行うための制御は行わずそのまま待機する（図１０（ｂ）ステップＳ３３）。
【００７６】
一方、ステップＳ３２の判定において、その時の情報記録再生装置５０の稼動状態がＤモードであるとき、すなわち、スイッチ３０から上記スイッチ信号ＳＷ１が出力されているときは（図１０（ｂ）ステップＳ３２；ＮＯ）、次に、切替スイッチ６における操作内容を反映して現状のＤモードからＢモードに切り替える必要があるので、先ずＤドライブ１１を停止するように制御信号Ｓｄを当該Ｄドライブ１１に出力し（図１０（ｂ）ステップＳ３４）、更に図９に示した態様で表示部５をＤドライブ１１側に移動させる（図１０（ｂ）ステップＳ３５）。このとき、表示部５上には移動中である旨の表示（図１（ｃ）参照）を行うように当該表示部５を制御すべく、表示切替部４２に対して制御信号Ｓｄｐを出力する。
【００７７】
そして、表示部５がガイド２３の下端まで移動したことがスイッチ３２からのスイッチ信号ＳＷ３の出力により確認されたとき、表示部５における必要な移動が完了したとして、当該表示部５上の表示内容をＢモードに切り替え、更にＢドライブ１０を待機させるべく制御信号Ｓｂを出力する（図１０（ｂ）ステップＳ３６）。
【００７８】
他方、ステップＳ２１の判定において、稼動すべきモードがコピーモードであることが切替信号Ｓｃｈにより指示されているときは（図１０（ｂ）ステップＳ２１；コピー）、次に、その情報複写のためにＢドライブ１０及びＤドライブ１１において光ディスクが準備さえているか否かを確認し（図１０（ｂ）ステップＳ２７）、準備ができているときは（図１０（ｂ）ステップＳ２７；ＹＥＳ）、切替スイッチ６における操作内容を反映してコピーモードに切り替える必要があるので、先ず図９に示した態様で表示部５をＢドライブ１０とＤドライブ１１の中間位置に移動させる（図１０（ｂ）ステップＳ２８）。このとき、表示部５上には移動中である旨の表示（図１（ｃ）参照）を行うように当該表示部５を制御すべく、表示切替部４２に対して制御信号Ｓｄｐを出力する。
【００７９】
そして、表示部５が当該中間位置まで移動したことがスイッチ３２１からのスイッチ信号ＳＷ２の出力により確認されたとき、表示部５における必要な移動が完了したとして、当該表示部５上の表示内容をコピーモードである旨（図８参照）に切り替え、更に実際の情報複写処理を開始する（図１０（ｂ）ステップＳ２９）。
【００８０】
一方、ステップＳ２７の判定において、その情報複写のためにＢドライブ１０及びＤドライブ１１において光ディスクが準備されていないときは（図１０（ｂ）ステップＳ２７；ＮＯ）、その旨を表示部５において表示し（図１０（ｂ）ステップＳ３０）、更に準備されていない光ディスクを対応するドライブに装填すべく、図９に示した態様で表示部５を光ディスクの装填が必要でないドライブの前方の位置に移動させる（図１０（ｂ）ステップＳ３１）。このとき、表示部５上には移動中である旨の表示（図１（ｃ）参照）を行うように当該表示部５を制御すべく、表示切替部４２に対して制御信号Ｓｄｐを出力する。
【００８１】
以上説明したように、第２実施形態に係るドライブユニットＤＶ２の動作によれば、第１実施形態に係るドライブユニットＤＶ１の動作による効果に加えて、情報処理装置５０内に装填された光ディスクが夫々に稼動中であるとき、対応する各開口部３及び８を通過して当該光ディスクが排出されることを阻止する位置に表示部５が移動されるので、稼動中の光ディスクが対応する開口部３又は８を通過して誤って排出されることを防止できる。
【００８２】
（ＩＩＩ）変形形態
なお、上述した各実施形態においては、情報記録再生装置１又は５０の使用状態における上下方向に表示部５を移動させる場合について説明したが、これ以外に、図１１に示すように、各ドライブに対応する開口部３又は８が情報記録再生装置６０の使用状態における左右方向に設けられている場合は、表示部５もそれに併せて情報記録再生装置６０の上面又は下面に平行な方向に移動することとなる。
【００８３】
なお、図１１において、図１に示す第１実施形態に係る情報記録再生装置１と同様の構成部材については、同一の部材番号を付して細部の説明は省略する。
【００８４】
先ず、図１１（ａ）は、情報記録再生装置６０に備えられている二つの駆動部のうちのＢドライブの一部を構成するディスクトレイ４が光ディスクを載置するために手前側に引き出されている状態を示している。
【００８５】
このとき、情報記録再生装置６０の動作状態を示す表示部５は、当該Ｂドライブの駆動状態を示した状態でＤドライブの開口部８を塞ぐ位置に移動している。
【００８６】
そして、ディスクトレイ４上にＢドライブ用の規格に準拠した光ディスクが載置されると、当該光ディスクを載置したディスクトレイ４は、図１１（ｂ）に示すように情報記録再生装置６０の内部に移動してＢドライブに装填される。その後当該載置されている光ディスクに対する情報の記録又は再生が実行される。このとき、図１１（ｂ）に示すように、表示部５上にはＢドライブに装填されている光ディスクの稼動状態が表示される。
【００８７】
次に、図１１（ｂ）に示すＢドライブの駆動状態からＤドライブの駆動状態に移行する際には、先ず図１１（ｂ）に示すＢドライブの駆動状態において前面パネル２上の切替スイッチ６が操作されると、先ず図１１（ａ）及び（ｂ）において開口部３の右方向にあった表示部５が図１１（ｃ）に示すように前面パネル２の表面に平行に図１１（ｃ）中左方向に移動する。このとき、表示部５には、ドライブの切り替え中である旨の表示が為されている。
【００８８】
そして、図１１（ｄ）に示すように表示部５が開口部３を隠す位置まで移動すると、結果としてＤドライブ用の開口部８とＤドライブ用のディスクトレイ７が露出する。これにより、Ｄドライブが利用可能となり、ディスクトレイ７を前方に引き出してＤドライブ用の規格に準拠した光ディスクを載置することで当該Ｄドライブに対する光ディスクの装填が可能となる。
【００８９】
この後は、当該ディスクトレイ７に載置された光ディスクをＤドライブに装填することで、当該光ディスクに対する情報の記録又は再生が可能となるのである。
【００９０】
なお、図１１に示す表示部５の移動を実現するための移動機構としては、第１又は第２実施形態に係るドライブユニットＤＶ１又はＤＶ２におけるガイド２３に相当するガイドを、図１１に示す表示部５の移動領域の上端部と下端部にその移動方向（図１１中左右方向）に設け、これに沿って表示部５を移動させることとなる。
【００９１】
以上夫々説明したように、各実施形態及び変形形態によれば、光ディスクが稼動中であるとき、当該稼動中の光ディスクに対応する開口部３又は８以外の開口部８又は３が隠蔽されるので、意匠上の美感を向上させることができると共に稼動中の光ディスクがいずれの光ディスクであるかを迅速に認識することができる。
【００９２】
また、稼動していない光ディスクに対応する開口部３又は８を隠蔽している表示部５により稼動中の光ディスクの稼動状態が表示されるので、当該表示部５による表示内容とその表示内容に対応する光ディスクとの関連付けを容易に行うことができる。
【００９３】
更にまた、複数の光ディスクが同時に稼動中であるとき、それらの光ディスクが排出されることを阻止する位置に表示部５が移動されるので、稼動中の光ディスクが対応する開口部３又は８を通過して誤って排出されることを防止できる。
【００９４】
なお、上述してきた各実施形態及び変形形態においては、光ディスクを対象とした場合について説明したが、これ以外に、例えばテープ状の記録媒体を装填して処理を行う場合に本願を適用することも可能である。
【００９５】
また、図５又は図１０（ｂ）に示すフローチャートに対応するプログラムをフレキシブルディスク又はハードディスク等の情報記録媒体に記録しておき、或いはインターネット等のネットワークを介して取得して記録しておき、これを汎用のマイクロコンピュータ等により読み出して実行することで、当該マイクロコンピュータ等を実施形態のＣＰＵ４０として機能させることも可能である。
【図面の簡単な説明】
【図１】第１実施形態に係る情報記録再生装置の動作状態を示す斜視図であり、（ａ）は第一の状態を示す斜視図であり、（ｂ）は第二の状態を示す斜視図であり、（ｃ）は第三の状態を示す斜視図であり、（ｄ）は第四の状態を示す斜視図である。
【図２】第１実施形態のドライブユニットを示す側面図である。
【図３】駆動状態にある第１実施形態のドライブユニットを示す側面図であり、（ａ）は第一の駆動状態を示す側面図であり、（ｂ）は第二の駆動状態を示す側面図であり、（ｃ）は第三の駆動状態を示す側面図である。
【図４】第１実施形態のドライブユニットの概要構成を示すブロック図である。
【図５】第１実施形態のドライブユニットの動作を示すフローチャートである。
【図６】第１実施形態の変形形態の動作を示す側面図であり、（ａ）は第一の状態を示す側面図であり、（ｂ）は第二の状態を示す側面図であり、（ｃ）は第三の状態を示す側面図である。
【図７】第２実施形態に係る情報記録再生装置の動作状態を示す斜視図である。
【図８】第２実施形態のドライブユニットを示す側面図である。
【図９】駆動状態にある第２実施形態のドライブユニットを示す側面図であり、（ａ）は第一の駆動状態を示す側面図であり、（ｂ）は第二の駆動状態を示す側面図であり、（ｃ）は第三の駆動状態を示す側面図である。
【図１０】第２実施形態のドライブユニットを示す図であり（ａ）は当該ドライブユニットの概要構成を示すブロック図であり、（ｂ）は当該ドライブユニットの動作を示すフローチャートである。
【図１１】変形形態に係る情報記録再生装置の動作状態を示す斜視図であり、（ａ）は第一の状態を示す斜視図であり、（ｂ）は第二の状態を示す斜視図であり、（ｃ）は第三の状態を示す斜視図であり、（ｄ）は第四の状態を示す斜視図である。
【符号の説明】
１、５０、６０…情報記録再生装置
２…前面パネル
３、８…開口部
４、７…ディスクトレイ
５…表示部
６…切替スイッチ
１０…Ｂドライブ
１１…Ｄドライブ
１２…モータ
１８…タイミングベルト
３０、３１、３２…スイッチ
４０…ＣＰＵ
【図１】
2004127371.tif 000003
【図２】
2004127371.tif 000004
【図３】
2004127371.tif 000005
【図４】
2004127371.tif 000006
【図５】
2004127371.tif 000007
【図６】
2004127371.tif 000008
【図７】
2004127371.tif 000009
【図８】
2004127371.tif 000010
【図９】
2004127371.tif 000011
【図１０】
2004127371.tif 000012
【図１１】
2004127371.tif 000013
【手続補正書】
【提出日】平成14年10月10日(2002.10.10)
【手続補正１】
【補正対象書類名】図面
【補正対象項目名】全図
【補正方法】変更
【補正の内容】
【図１】
2004127371.tif 000014
【図２】
2004127371.tif 000015
【図３】
2004127371.tif 000016
【図４】
2004127371.tif 000017
【図５】
2004127371.tif 000018
【図６】
2004127371.tif 000019
【図７】
2004127371.tif 000020
【図８】
2004127371.tif 000021
【図９】
2004127371.tif 000022
【図１０】
2004127371.tif 000023
【図１１】
2004127371.tif 000024